(57)【要約】【課題】レンチ本体の強度及び締付トルクが高く、また、繰り返し使用することもできる星型レンチ構造を提供する。【解決手段】  星型レンチ構造は、レンチ本体２１、第１の作用セクション２２及び第２の作用セクション２３を備える。レンチ本体２１は、Ｌ字状に一体成形されるとともに、星型断面を有する。第１の作用セクション２２は、レンチ本体２１の一端に設けられる。第２の作用セクション２３は、レンチ本体２１の他端に設けられるとともに、球型螺設部２３１及び逃げ凹部２３２を有する。第１の作用セクション２２は、レンチ本体２１と一体成形されて星型断面を有する。【選択図】図１
0003177052.tif 000002
【実用新案登録請求の範囲】
【請求項１】
レンチ本体、第１の作用セクション及び第２の作用セクションを備えた星型レンチ構造であって、
前記レンチ本体は、Ｌ字状に一体成形されるとともに、星型断面を有し、
前記第１の作用セクションは、前記レンチ本体の一端に設けられ、
前記第２の作用セクションは、前記レンチ本体の他端に設けられるとともに、球型螺設部及び逃げ凹部を有することを特徴とする星型レンチ構造。
【請求項２】
前記第１の作用セクションは、前記レンチ本体と一体成形されて星型断面を有することを特徴とする請求項１に記載の星型レンチ構造。
【考案の詳細な説明】
【技術分野】
【０００１】
本考案は、星型レンチ構造に関するものであり、さらに詳しくは、強度及び締付トルクが高く、繰り返し使用可能な星型レンチ構造に関するものである。
【背景技術】
【０００２】
図３に示すように、一般に市販されている星型レンチ１は、レンチ本体１１、第１の作用セクション１２及び第２の作用セクション１３を含む。レンチ本体１１は、Ｌ字状の円柱体であり、星型の第１の作用セクション１２及び第２の作用セクション１３が切削加工により両端に形成されている。第２の作用セクション１３は、球型螺設部１３１及び逃げ凹部１３２を含む。
【０００３】
この構成により、星型レンチ１の第１の作用セクション１２は、星型凹部が設けられた螺合部材を締め付け又は緩和することができ、第２の作用セクション１３には、螺設部１３１及び逃げ凹部１３２が異なる角度で形成された環状セクションを有し、螺合部材の押点が１つの面に形成されているため、使用するのに必要な時間を大幅に減らして螺合部材の使用寿命を延ばすことができる。
【０００４】
しかし、レンチ本体１１は、Ｌ字状の円柱体であり、端部が切削されて星型の第１の作用セクション１２に形成されているため、第１の作用セクション１２とレンチ本体１１との結合部分の強度が低く、当該箇所に締付トルクを加えると第１の作用セクション１２が損壊し、使用し続けることが困難となることがある。
【０００５】
また、円柱体のレンチ本体１１に第２の作用セクション１３が設けられ、第２の作用セクション１３を切削加工して球型螺設部１３１及び逃げ凹部１３２が形成されているため、星型レンチ１に力を加えると、直径が小さな逃げ凹部１３２が損壊して第２の作用セクション１３を使用し続けることが困難となり、レンチ全体を廃棄しなければならず、コスト及び材料が無駄となる虞がある。
【考案の概要】
【考案が解決しようとする課題】
【０００６】
本考案の主な課題は、第１の作用セクションの強度及びレンチ本体の締付トルクを高めることができる星型レンチ構造を提供することにある。
【０００７】
本考案の第２の課題は、星型断面を有するレンチ本体の両端に、第１の作用セクション及び第２の作用セクションをそれぞれ形成し、第１の作用セクション及び第２の作用セクションが摩損したり損壊したりした場合、損壊部分を除去するだけで繰り返して使用することができる星型レンチ構造を提供することにある。
【課題を解決するための手段】
【０００８】
そこで、本考案者は、前記の本考案の課題を解決するため、鋭意検討を重ねた結果、主な課題については、星型断面をそれぞれ有するレンチ本体及び第１の作用セクションをＬ字状に一体成形することにより、また、第２の課題についても、Ｌ字状に一体成形することにより、それぞれ解決できることに着目し、かかる知見に基いて本考案に想到するに至った。
【０００９】
かくして、前記課題を解決するために、本考案によれば、レンチ本体、第１の作用セクション及び第２の作用セクションを備えた星型レンチ構造であって、前記レンチ本体は、Ｌ字状に一体成形されるとともに、星型断面を有し、前記第１の作用セクションは、前記レンチ本体の一端に設けられ、前記第２の作用セクションは、前記レンチ本体の他端に設けられるとともに、球型螺設部及び逃げ凹部を有することを特徴とする星型レンチ構造が提供される。
【００１０】
前記第１の作用セクションは、前記レンチ本体と一体成形されて星型断面を有することが好ましい。
【考案の効果】
【００１１】
本考案は、前記の通りの構成からなり、第１作用セクションを本体と一体成形したことにより、第１セクションの強度及び本体の締付トルクを向上させることができる。また、第１作用セクション及び第２作用セクションが摩損及び損壌した場合、損壌部分を除去すれば、継続使用が可能である。
【考案を実施するための最良の形態】
【００１２】
以下、本考案の実施形態について図面に基づいて説明する。なお、これによって本考案が限定されるものではない。
【００１３】
図１及び図２を参照する。図１及び図２に示すように、本考案の一実施形態に係る星型レンチ２は、少なくともレンチ本体２１、第１の作用セクション２２及び第２の作用セクション２３から構成される。
【００１４】
レンチ本体２１は、Ｌ字状に一体成形され、星型断面を有する。
【００１５】
第１の作用セクション２２は、レンチ本体２１の一端に設けられ、星型断面を有する。
【００１６】
第２の作用セクション２３は、レンチ本体２１の他端に設けられ、球型螺設部２３１及び逃げ凹部２３２を含む。
【００１７】
レンチ本体２１は、Ｌ字状に一体成形され、星型断面を有する第１の作用セクション２２及び第２の作用セクション２３が両端にそれぞれ設けられている。そのため、レンチ本体２１に力を加える際、星型断面により締付トルクを高めることができ、第１の作用セクション２２は、レンチ本体２１と一体成形されるとともに、星型断面を有し、第１の作用セクション２２とレンチ本体２１との結合部が切削加工による悪影響を受けることがないため、第１の作用セクション２２の強度が高い。また、第２の作用セクション２３により螺合部材を締め付けたり緩めたりする場合、第２の作用セクション２３に、それぞれ異なる角度を有する球型螺設部２３１及び逃げ凹部２３２を含む環状セクションが形成されて螺合部材の押点を得て、逃げ凹部２３２の直径がレンチ本体２１の外徑より小さいため、第２の作用セクション２３が力を受けて損壊した場合、レンチ本体２１の損壊部分を除去するだけで、星型断面を有する作用セクションを使用し続けることができる。このように、本考案の星型レンチ構造は、繰り返して使用することができるため、コスト及び材料が無駄にならないという利点がある。
【００１８】
以上、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【図面の簡単な説明】
【００１９】
【図１】本考案の一実施形態に係る星型レンチ構造を示す斜視図である。
【図２】本考案の一実施形態に係る星型レンチ構造を示す側面図である。
【図３】従来の星型レンチ構造を示す斜視図である。
【符号の説明】
【００２０】
１  星型レンチ
２  星型レンチ
１１  レンチ本体
１２  第１の作用セクション
１３  第２の作用セクション
２１  レンチ本体
２２  第１の作用セクション
２３  第２の作用セクション
１３１  螺設部
１３２  逃げ凹部
２３１  螺設部
２３２  逃げ凹部
【図１】
0003177052.tif 000003
【図２】
0003177052.tif 000004
【図３】
0003177052.tif 000005